(57)【要約】【課題】使用者の好みに合わせてワイパーブレードを作動させることのできるワイパー制御装置を提供する。【解決手段】雨滴センサによって検出される雨滴量ＲＶに基づき定められる間隔でワイパーブレードが自動的に作動する。操作レバーが操作されたときには（Ｓ２３：ＹＥＳ）、上記間隔によることなく、ワイパーブレードが強制的に作動する（Ｓ２４）。自動モードの選択時において操作レバーが操作されたときには（Ｓ２３：ＹＥＳ）、このとき検出される雨滴量ＲＶを含む同雨滴量ＲＶについての領域が記憶される（Ｓ２５）。自動モードの選択時において検出される雨滴量ＲＶが記憶領域に含まれる値になったときには（Ｓ２６：ＹＥＳ）、前記間隔によることなく、ワイパーブレードが強制的に作動する（Ｓ２７）。【選択図】図５
2018176972.tif 000002
【特許請求の範囲】
【請求項１】
車両のフロントガラスへの雨滴の付着度合いを検出する雨滴検出部と、前記雨滴検出部によって検出される付着度合いに基づき定められる間隔でワイパーブレードを自動的に作動させるオート作動部と、を備えるワイパー制御装置であって、
強制操作子が操作されたときに、前記定められる間隔によることなく、前記ワイパーブレードを強制的に作動させる第１強制作動部と、
前記オート作動部による前記ワイパーブレードの作動時において前記強制操作子が操作されたときに、前記雨滴検出部によって検出される付着度合いを含む同付着度合いの領域を記憶する記憶部と、
前記オート作動部による前記ワイパーブレードの作動時において、前記雨滴検出部によって検出される付着度合いが前記記憶部によって記憶された前記領域に含まれる値になったときに、前記定められる間隔によることなく、前記ワイパーブレードを強制的に作動させる第２強制作動部と
を備えるワイパー制御装置。
【請求項２】
請求項１に記載のワイパー制御装置において、
前記オート作動部による前記ワイパーブレードの作動時において前記間隔を変更するべく操作される調整操作子と、
前記間隔を長くするべく前記調整操作子が操作されたときに、前記記憶部に記憶されている前記領域を消去する領域消去部と
を備えることを特徴とするワイパー制御装置。
【請求項３】
請求項１または２に記載のワイパー制御装置において、
車室内の照度を検出する照度検出部を備え、
前記記憶部は、前記オート作動部による前記ワイパーブレードの作動時において前記強制操作子が操作されたときに、前記照度検出部によって検出される照度を含む同照度の領域を記憶するものであり、
前記第２強制作動部は、前記オート作動部による前記ワイパーブレードの作動時において、前記照度検出部によって検出される照度が前記記憶部によって記憶された前記照度の領域に含まれる値になっていることを条件に、前記ワイパーブレードを強制的に作動させるものである
ことを特徴とするワイパー制御装置。
【発明の詳細な説明】
【技術分野】
【０００１】
本発明は、車両のフロントガラスへの雨滴の付着度合いに応じた間隔でワイパーブレードを自動的に作動させるワイパー制御装置に関するものである。
【背景技術】
【０００２】
近年、天候に応じて自動的にワイパーブレードを作動させる装置が実用されている（例えば特許文献１）。特許文献１に記載の装置は、フロントガラスへの雨滴の付着度合いを検出する雨滴センサを備えており、この雨滴センサによって検出される雨滴の付着度合いに基づいて、ワイパーブレードの作動を開始させたり同ワイパーブレードの作動間隔を可変設定したりする。
【先行技術文献】
【特許文献】
【０００３】
【特許文献１】特開２０１１−１８３８３８号公報
【発明の概要】
【発明が解決しようとする課題】
【０００４】
ここで、ワイパーブレードが払拭動作して欲しいと感じる状況には個人差がある。そのため、上記特許文献１に記載の装置のようにワイパーブレードを自動的に作動させたとしても、状況によっては、払拭動作して欲しいと感じているのにも関わらず払拭動作してくれないといった不満が生じるおそれがある。
【０００５】
本発明は、そうした実情に鑑みてなされたものであり、その目的は、使用者の好みに合わせてワイパーブレードを作動させることのできるワイパー制御装置を提供することにある。
【課題を解決するための手段】
【０００６】
上記課題を解決するためのワイパー制御装置は、車両のフロントガラスへの雨滴の付着度合いを検出する雨滴検出部と、前記雨滴検出部によって検出される付着度合いに基づき定められる間隔でワイパーブレードを自動的に作動させるオート作動部と、を備えるワイパー制御装置であって、強制操作子が操作されたときに、前記定められる間隔によることなく、前記ワイパーブレードを強制的に作動させる第１強制作動部と、前記オート作動部による前記ワイパーブレードの作動時において前記強制操作子が操作されたときに、前記雨滴検出部によって検出される付着度合いを含む同付着度合いの領域を記憶する記憶部と、前記オート作動部による前記ワイパーブレードの作動時において、前記雨滴検出部によって検出される付着度合いが前記記憶部によって記憶された前記領域に含まれる値になったときに、前記定められる間隔によることなく、前記ワイパーブレードを強制的に作動させる第２強制作動部とを備える。
【０００７】
上記構成では、ワイパーブレードの自動作動中においてワイパーブレードが払拭動作して欲しいのにも関わらず払拭動作してくれないと使用者が感じると、使用者はワイパーブレードを強制作動させるべく強制操作子を操作するようになる。このことから、ワイパーブレードの自動作動中において強制操作子が操作される状況は、ワイパーブレードが払拭動作して欲しいのにも関わらず払拭動作してくれないと使用者が感じる状況であると云える。
【０００８】
上記構成によれば、そうした状況になったときに、このときの環境（具体的には、このとき検出される雨滴の付着度合いを含む同付着度合いの領域）を記憶するとともに、その後において記憶した環境になる度に、使用者が過去にワイパーブレードが払拭動作して欲しいと感じた状況であるとして、同ワイパーブレードを強制的に作動させることができる。これにより、使用者の好みに合わせてワイパーブレードを作動させることができるようになる。
【０００９】
上記ワイパー制御装置において、前記オート作動部による前記ワイパーブレードの作動時において前記間隔を変更するべく操作される調整操作子と、前記間隔を長くするべく前記調整操作子が操作されたときに、前記記憶部に記憶されている前記領域を消去する領域消去部とを備えることが好ましい。
【００１０】
上記構成では、ワイパーブレードの自動作動中においてワイパーブレードの作動間隔が短いと使用者が感じると、使用者はワイパーブレードの作動間隔を長くするべく調整操作子を操作するようになる。このことから、ワイパーブレードの自動作動中において上記間隔を長くするべく調整操作子が操作される状況は、ワイパーブレードの作動間隔が過度に短くなっていると使用者が感じる状況であると云える。
【００１１】
上記構成によれば、そうした状況になったときに、ワイパーブレードの作動頻度が高くなりすぎている可能性があるとして、記憶されている上記領域を消去してワイパーブレードの作動頻度を低くすることができる。そのため、使用者の好みに合わせてワイパーブレードの作動頻度を変更することが可能になる。
【００１２】
上記ワイパー制御装置において、車室外の照度を検出する照度検出部を備え、前記記憶部は、前記オート作動部による前記ワイパーブレードの作動時において前記強制操作子が操作されたときに、前記照度検出部によって検出される照度を含む同照度の領域を記憶するものであり、前記第２強制作動部は、前記オート作動部による前記ワイパーブレードの作動時において、前記照度検出部によって検出される照度が前記記憶部によって記憶された前記照度の領域に含まれる値になっていることを条件に、前記ワイパーブレードを強制的に作動させるものであることが好ましい。
【００１３】
上記構成によれば、ワイパーブレードが払拭動作して欲しいと使用者が感じた状況を、フロントガラスへの雨滴の付着度合いと車室外の照度とによって細かく規定して記憶することができる。そのため、より使用者の好みに合ったかたちでワイパーブレードを作動させることができる。
【発明の効果】
【００１４】
本発明によれば、使用者の好みに合わせてワイパーブレードを作動させることができる。
【図面の簡単な説明】
【００１５】
【図１】一実施形態のワイパー制御装置の概略構成を示す略図。
【図２】操作レバーの斜視図。
【図３】選択処理の実行手順を示すフローチャート。
【図４】予め定められた複数の領域と記憶領域とを示す略図。
【図５】強制作動処理の実行手順を示すフローチャート。
【発明を実施するための形態】
【００１６】
以下、ワイパー制御装置の一実施形態について説明する。
図１に示すように、車両１０は、フロントガラス１１を払拭するワイパーブレード１２を複数（本実施形態では、２つ）備えている。各ワイパーブレード１２にはワイパーモータ１３が連結されており、それらワイパーモータ１３の作動制御を通じて、ワイパーブレード１２が作動するようになっている。
【００１７】
車両１０には、車室外の照度ＩＬを検出する照度検出部としての照度センサ２１と、フロントガラス１１への雨滴の付着度合い（雨滴量ＲＶ）を検出する雨滴検出部としての雨滴センサ２２とが設けられている。なお、雨滴センサ２２は、フロントガラス１１に向けて発光する発光素子とフロントガラス１１によって反射した反射光を受光する受光素子とを有する光学式のセンサである。
【００１８】
車両１０は、例えばマイクロコンピュータを有して構成される電子制御装置２０を備えている。電子制御装置２０は、各種センサの出力信号を取り込むとともに各種の演算を行い、その演算結果に基づいてワイパーモータ１３の作動制御を実行する。本実施形態では、この電子制御装置２０が、オート作動部、第１強制作動部、第２強制作動部、記憶部、および領域消去部に相当する。
【００１９】
図２に示すように、車両１０にはワイパーブレード１２の作動態様を切り替える際に操作される操作レバー１４が設けられている。この操作レバー１４は、自動的に中立位置ＰＣに復帰する状態でステアリングコラムに取り付けられており、上下２箇所ずつ、合計４箇所の操作位置ＰＵ１，ＰＵ２，ＰＤ１，ＰＤ２を有している。
【００２０】
操作レバー１４の突端にはオートスイッチ１５が設けられている。
オートスイッチ１５がオフ操作されているときには「手動モード」が選択される。「手動モード」の選択時には、操作レバー１４の操作を通じて、ワイパーブレード１２の作動態様が、ワイパーブレード１２が停止する態様「停止」、比較的長い間隔で作動する態様「ロー」、短い間隔で作動する態様「ハイ」、および、１往復だけ作動する態様「ミスト」のいずれかに切り替えられる。そして、その切り替えられた「作動態様」でワイパーブレード１２（詳しくは、ワイパーモータ１３）の作動が制御される。
【００２１】
一方、上記オートスイッチ１５がオン操作されているときには「自動モード」が選択される。「自動モード」の選択時には、雨滴量ＲＶおよび照度ＩＬに基づき定められる間隔でワイパーブレード１２が自動的に作動する。なお「自動モード」の選択時であっても、操作レバー１４が中立位置ＰＣから上側一段目の操作位置（上一段位置ＰＵ１）に操作されたときには、雨滴量ＲＶおよび照度ＩＬに基づき定められた間隔によることなく、ワイパーブレード１２が１往復だけ強制的に作動（払拭動作）するようになっている。本実施形態では、操作レバー１４が強制操作子に相当する。なお、こうした「自動モード」の選択時におけるワイパーブレード１２の作動態様については後に詳述する。
【００２２】
操作レバー１４の長手方向における中間部分には調整操作子としての調整ダイヤル１６が設けられている。この調整ダイヤル１６は、ワイパーブレード１２の作動間隔を変更（微調整）するべく回転操作される。具体的には、調整ダイヤル１６の回転操作位置が一方向側の位置になるほど、雨滴量ＲＶおよび照度ＩＬが一定の条件下でのワイパーブレード１２の作動間隔が長くなるようになっている。
【００２３】
以下、「自動モード」の選択時においてワイパーブレード１２の作動態様を選択する処理（選択処理）の実行手順について説明する。図３は上記選択処理の実行手順を示している。なお、同図に示される一連の処理は、「自動モード」が選択されていることを条件に、所定周期毎の割り込み処理として、電子制御装置２０によって実行される。
【００２４】
図３に示すように、この処理では、ワイパーブレード１２の作動態様として「停止」が選択されているときには（ステップＳ１１：ＹＥＳ）、フロントガラス１１に雨滴が付着しているか否かが判断される（ステップＳ１２）。
【００２５】
フロントガラス１１に雨滴が付着していない（雨滴量ＲＶ＝０）場合には（ステップＳ１２：ＮＯ）、ワイパーブレード１２の作動態様を「停止」のままで変更することなく（ステップＳ１３の処理をジャンプして）、本処理は終了される。
【００２６】
フロントガラス１１に雨滴が付着している（雨滴量ＲＶ＞０）場合には（ステップＳ１２：ＹＥＳ）、ワイパーブレード１２が停止していた時間（作動停止時間）に基づいて「停止（作動間隔＝∞）」、「間欠（作動間隔＝Ｔ１）」、「低速（作動間隔＝Ｔ２）」、および「高速（作動間隔＝Ｔ３）」のいずれかがワイパーブレード１２の作動態様として選択される（ステップＳ１３）。なお、各作動態様における作動間隔Ｔ１〜Ｔ３は、関係式［Ｔ１＞Ｔ２＞Ｔ３］を満たす値が予め定められている。そして、このようにして選択された作動態様に応じてワイパーモータ１３の作動が制御される。
【００２７】
一方、ワイパーブレード１２の作動態様として「停止」以外（間欠、低速、および高速のいずれか）が選択されているときには（ステップＳ１１：ＮＯ）、ワイパーブレード１２を払拭動作させるべくワイパーモータ１３（詳しくは、その駆動回路）に作動信号が出力されたタイミングであるか否かが判断される（ステップＳ１４）。
【００２８】
上記タイミングでない場合には（ステップＳ１４：ＮＯ）、ワイパーブレード１２の作動態様を切り替えることなく（ステップＳ１５〜Ｓ１７の処理をジャンプして）、本処理は終了される。
【００２９】
ワイパーモータ１３に作動信号が出力されたタイミングになると（ステップＳ１４：ＹＥＳ）、雨滴量ＲＶが検出されるとともに、同雨滴量ＲＶについての直近の複数回（本実施形態では、５回）の検出値の平均値が算出される（ステップＳ１５）。また、このときの照度ＩＬが検出される（ステップＳ１６）。そして、それら雨滴量ＲＶの平均値と照度ＩＬとに基づいて、ワイパーブレード１２の作動態様として「停止」、「間欠」、「低速」および「高速」のいずれかが選択される（ステップＳ１７）。その後においては、そのようにして選択された作動態様に応じてワイパーモータ１３の作動が制御される。
【００３０】
ここで、ワイパーブレード１２が払拭動作して欲しいと感じる状況には個人差がある。そのため「自動モード」を選択してワイパーブレード１２を自動的に作動させたとしても、状況によっては、ワイパーブレード１２が払拭動作して欲しいと感じているのにも関わらず払拭動作してくれないといった不満が生じるおそれがある。
【００３１】
こうした実情をふまえて本実施形態では、「自動モード」の選択時において操作レバー１４が中立位置ＰＣから上一段位置ＰＵ１に操作されたときに、このとき検出された雨滴量ＲＶを含む同雨滴量ＲＶについての所定範囲を有する領域と、このとき検出された照度ＩＬを含む同照度ＩＬについての所定範囲を有する領域とが記憶される。詳しくは、図４に示すように、雨滴量ＲＶと照度ＩＬとによって規定される複数の領域が予め定められており、それら領域のうち、このときの雨滴量ＲＶと照度ＩＬとが含まれる領域（例えば、領域ＡＲ１）が電子制御装置２０に記憶される。
【００３２】
そして、その後においては、「自動モード」の選択時において雨滴量ＲＶおよび照度ＩＬの両方が上記電子制御装置２０に記憶されている領域（記憶領域）の１つに含まれる値になると、ワイパーブレード１２が強制的に作動するようになる。この場合には、選択処理（図３）を通じて選択された作動態様に見合うタイミングでのワイパーモータ１３への作動信号の出力を待つことなく、ワイパーブレード１２が払拭動作するようになる。
【００３３】
以下、このようにしてワイパーブレード１２を強制作動させることによる作用について説明する。
「自動モード」の選択時において、ワイパーブレード１２が払拭動作して欲しいのにも関わらず払拭動作してくれないと使用者（詳しくは、運転者）が感じると、使用者はワイパーブレード１２を強制作動させるべく操作レバー１４を上一段位置ＰＵ１に操作するようになる。このことから、「自動モード」の選択時において操作レバー１４が操作される状況は、ワイパーブレード１２が払拭動作して欲しいのにも関わらず払拭動作してくれないと使用者が感じる状況であると云える。
【００３４】
本実施形態では、そうした状況になったときに、このときの環境（詳しくは、このときの雨滴量ＲＶおよび照度ＩＬを共に含む領域）が電子制御装置２０に記憶される。そして、その後において電子制御装置２０に記憶した上記環境になる度に、使用者が過去にワイパーブレード１２が払拭動作して欲しいと感じた状況であるとして、同ワイパーブレード１２を強制的に払拭動作させることができる。このように、使用者の好みに合わせてワイパーブレード１２を作動させることができるようになる。
【００３５】
また本実施形態では、雨滴センサ２２が光学式のものであるために、同雨滴センサ２２によって検出される雨滴量ＲＶがフロントガラス１１の汚れ（砂塵の堆積など）の影響を受けた値になる。そのため、単に雨滴量ＲＶに基づきワイパーブレード１２を自動作動させるようにすると、フロントガラス１１の汚れがワイパーモータ１３の作動制御の外乱になるおそれがある。
【００３６】
雨滴センサ２２によって検出される雨滴量ＲＶは、フロントガラス１１への雨滴の付着度合いに応じた値であることに加えて、同フロントガラス１１の汚れ度合いに応じた値でもある。本実施形態では、そうした雨滴量ＲＶによって規定される環境（記憶領域）になったときに、このとき選択されている作動態様に見合うタイミングとは異なるタイミングで、ワイパーブレード１２が強制的に作動するようになる。そのため、フロントガラス１１の汚れに応じてワイパーブレード１２を払拭動作させることができ、その汚れに対処することができる。
【００３７】
さらに本実施形態では、「自動モード」の選択時においてワイパーブレード１２の作動間隔を長くするべく調整ダイヤル１６が操作されたときには、電子制御装置２０に記憶されている記憶領域の一部（具体的には、このとき選択されている作動態様［間欠、低速、高速のいずれか］である状況下で記憶された記憶領域）が消去される。
【００３８】
「自動モード」の選択時においてワイパーブレード１２の作動間隔が短いと使用者が感じると、使用者はワイパーブレード１２の作動間隔を長くするべく調整ダイヤル１６を操作するようになる。このことから、「自動モード」の選択時において上記作動間隔を長くするべく調整ダイヤル１６が操作される状況は、ワイパーブレード１２の作動間隔が過度に短くなっていると使用者が感じる状況であると云える。
【００３９】
本実施形態によれば、そうした状況になったときに、ワイパーブレード１２の作動頻度が高くなりすぎている可能性があるとして、電子制御装置２０に記憶されている記憶領域のうち、このときの作動態様である状況下で記憶された記憶領域が一括して消去される。これにより、使用者がワイパーブレード１２の作動間隔が過度に短くなっていると感じた作動態様であるときのワイパーブレード１２の作動頻度を低くすることができるため、使用者の好みに合わせてワイパーブレード１２の作動頻度を変更することが可能になる。
【００４０】
以下、「自動モード」の選択時においてワイパーブレード１２を強制的に作動させる処理（強制作動処理）の実行手順について説明する。図５は上記強制作動処理の実行手順を示している。なお、同図に示される一連の処理は、所定周期毎の割り込み処理として、電子制御装置２０によって実行される。
【００４１】
図５に示すように、この処理では先ず、オートスイッチ１５がオン操作されているか否かが判断される（ステップＳ２１）。そして、オートスイッチ１５がオフ操作されて「手動モード」が選択されている場合には（ステップＳ２１：ＮＯ）、以下の処理を実行することなく、本処理は終了される。
【００４２】
オートスイッチ１５がオン操作されて「自動モード」が選択されている場合には（ステップＳ２１：ＹＥＳ）、雨滴量ＲＶと照度ＩＬとが検出される（ステップＳ２２）。
そして、操作レバー１４が中立位置ＰＣから上一段位置ＰＵ１に操作されると（ステップＳ２３：ＹＥＳ）、ワイパーブレード１２が強制的に作動される（ステップＳ２４）。また、予め定められた複数の領域（図４参照）のうち、このときの雨滴量ＲＶと照度ＩＬとが共に含まれる領域が記憶される（ステップＳ２５）。ステップＳ２５の処理では、こうした領域と、このとき選択されていたワイパーブレード１２の作動態様（停止、間欠、低速、高速のいずれか）とがセットで記憶される。なお、操作レバー１４が上一段位置ＰＵ１に操作されない場合には（ステップＳ２３：ＮＯ）、ステップＳ２４，Ｓ２５の処理がジャンプされる。
【００４３】
また、この処理では、ステップＳ２２の処理において検出された雨滴量ＲＶおよび照度ＩＬの両方が、ステップＳ２５の処理を通じて記憶されている記憶領域のいずれか１つ（例えば、図４の領域ＡＲ１または領域ＡＲ２）に含まれる値になると（図５のステップＳ２６：ＹＥＳ）、ワイパーブレード１２が強制作動される（ステップＳ２７）。なお、ステップＳ２２の処理において検出された雨滴量ＲＶおよび照度ＩＬが共通の記憶領域に含まれる値になっていない場合には（ステップＳ２６：ＮＯ）、ステップＳ２７の処理がジャンプされる。
【００４４】
さらに、この処理では、調整ダイヤル１６がワイパーブレード１２の作動間隔を長くする方向に操作されると（ステップＳ２８：ＹＥＳ）、全ての記憶領域のうち、このとき選択されている作動態様とセットで記憶された記憶領域が一括して消去される（ステップＳ２９）。なお、調整ダイヤル１６がワイパーブレード１２の作動間隔を長くする方向に操作されなかった場合には（ステップＳ２８：ＮＯ）、ステップＳ２９の処理がジャンプされる。
【００４５】
以上説明したように、本実施形態によれば、以下に記載する効果が得られる。
（１）「自動モード」の選択時において操作レバー１４が中立位置ＰＣから上一段位置ＰＵ１に操作されたときに、このときの雨滴量ＲＶおよび照度ＩＬが共に含まれる領域を電子制御装置２０に記憶させるようにした。そして、その後において雨滴量ＲＶおよび照度ＩＬの両方が電子制御装置２０に記憶した記憶領域のうちの共通の記憶領域に含まれる値になったときに、ワイパーブレード１２を強制的に作動させるようにした。そのため、使用者の好みに合わせてワイパーブレード１２を作動させることができる。
【００４６】
（２）「自動モード」の選択時においてワイパーブレード１２の作動間隔を長くするべく調整ダイヤル１６が操作されたときに、電子制御装置２０に記憶されている記憶領域の一部を消去するようにした。これにより、使用者の好みに合わせてワイパーブレード１２の作動頻度を変更することが可能になる。
【００４７】
（３）ワイパーブレード１２が払拭動作して欲しいと使用者が感じた状況を、雨滴量ＲＶのみによって規定して記憶する場合と比較して、雨滴量ＲＶと照度ＩＬとによって細かく規定して記憶することができる。そのため、より使用者の好みに合ったかたちでワイパーブレード１２を作動させることができる。
【００４８】
＜変形例＞
なお、上記実施形態は、以下のように変更して実施してもよい。
・雨滴量ＲＶの領域として同雨滴量ＲＶそのものを電子制御装置２０に記憶したり、照度ＩＬの領域として同照度ＩＬそのものを電子制御装置２０に記憶したりしてもよい。この場合には、「自動モード」の選択時に操作レバー１４が中立位置ＰＣから上一段位置ＰＵ１に操作されたときに、このときの雨滴量ＲＶと照度ＩＬとを１組の記憶値（領域）として電子制御装置２０に記憶させればよい。また、その後において実際に検出される雨滴量ＲＶおよび照度ＩＬが電子制御装置２０に記憶されている１組の記憶値と一致したときに、ワイパーブレード１２を強制作動させればよい。
【００４９】
・前記複数の領域を規定するパラメータとしては、雨滴量ＲＶおよび照度ＩＬの他、車両１０の走行速度や外気温度などを採用することができる。こうした構成によれば、ワイパーブレード１２が払拭動作して欲しいのにも関わらず払拭動作してくれないと使用者が感じる状況をより細かく規定することができるため、より使用者の好みに近いかたちでワイパーブレード１２を作動させることが可能になる。なお、上記パラメータとしては、ワイパーブレード１２の作動に対する使用者の感覚に影響を及ぼす値であれば、任意の値を採用することができる。
【００５０】
・前記複数の領域を規定するパラメータとして、照度ＩＬに代えて、車両１０の前照灯や車幅灯を点灯させるスイッチの操作態様を用いるようにしてもよい。こうした構成によっても、周囲の明るさによって前記複数の領域を規定することができる。
【００５１】
・前記複数の領域を規定するパラメータとして、雨滴量ＲＶおよび照度ＩＬのうちの同雨滴量ＲＶのみを採用してもよい。
・強制作動処理（図５）のステップＳ２９の処理において、電子制御装置２０に記憶されている記憶領域の一部のみを消去することに限らず、電子制御装置２０に記憶されている記憶領域の全てを消去するようにしてもよい。
【００５２】
・電子制御装置２０に記憶されている記憶領域の一部（あるいは全部）を消去するタイミングは、オートスイッチ１５がオフ操作されたタイミングや、車両１０の運転／運転停止を切り替える運転スイッチがオフ操作されたタイミングなど、任意のタイミングにすることができる。
【００５３】
・電子制御装置２０に記憶されている記憶領域を消去する構成（例えば図５のステップＳ２８，Ｓ２９の処理）を省略してもよい。
・雨滴センサ２２として、雨滴の付着度合いに応じて静電容量が変化する静電容量式のセンサを採用してもよい。また、カメラを有する画像処理装置によって、フロントガラス１１への雨滴の付着度合いを検出すること等も可能である。
【００５４】
・操作レバー１４の操作態様とワイパーブレード１２の作動態様との関係は任意に変更可能である。また「自動モード」と「手動モード」との切替やワイパーブレード１２の作動間隔の微調整をワイパーレバーの操作を通じて行う装置にも、上記実施形態のワイパー制御装置は適用可能である。
【符号の説明】
【００５５】
１０…車両、１１…フロントガラス、１２…ワイパーブレード、１３…ワイパーモータ、１４…操作レバー、１５…オートスイッチ、１６…調整ダイヤル、２０…電子制御装置、２１…照度センサ、２２…雨滴センサ。
【図１】
2018176972.tif 000003
【図２】
2018176972.tif 000004
【図３】
2018176972.tif 000005
【図４】
2018176972.tif 000006
【図５】
2018176972.tif 000007